(57)【要約】【課題】作業効率の低下を抑制し、かつ美観性も損なうことのない貯湯タンクユニットを提供すること。【解決手段】本発明の貯湯タンクユニットは、外郭を構成する筐体１と、湯水を貯える貯湯タンク３と、貯湯タンク３に接続される配管と外部配管とを接続する接続スペース２と、接続スペース２の前面を覆う前面脚部カバー６ａとを備え、前面脚部カバーに凸部を複数設け、前面脚部カバー取り付け時に凸部と対向する位置に凹部を設け、前面脚部カバーを筐体に取り付けるときは、凸部と凹部とを嵌合させるとともに、前面脚部カバーの両端部にそれぞれ１箇所のみ設けたネジ部で螺着して固定する。【選択図】図１
2011002197.tif 000002
【特許請求の範囲】
【請求項１】
外郭を構成する筐体と、湯水を貯える貯湯タンクと、前記貯湯タンクに接続される配管と外部配管とを接続する接続スペースと、前記接続スペースの前面を覆う前面脚部カバーとを備え、前面脚部カバーに凸部を複数設け、前記前面脚部カバー取り付け時に前記凸部と対向する位置に凹部を設け、前記前面脚部カバーを前記筐体に取り付けるときは、前記凸部と前記凹部とを嵌合させるとともに、前記前面脚部カバーの両端部にそれぞれ１箇所のみ設けたネジ部で螺着して固定することを特徴とする貯湯タンクユニット。
【請求項２】
前記前面脚部カバーを含む複数の脚部カバーで前記筐体の下方の脚部を覆い、前記複数の脚部カバー同士は、一方の脚部カバーに設けた凹部もしくは凸部と、それに対向する位置に設けた他方の脚部カバーの凸部もしくは凹部の嵌合によって接続されることを特徴とする請求項１に記載の貯湯タンクユニット。
【請求項３】
前記脚部カバーの裏面には、水平方向全幅に渡って補強リブを有していることを特徴とする請求項１または２に記載の貯湯タンクユニット。
【発明の詳細な説明】
【技術分野】
【０００１】
本発明は、湯水を貯える貯湯タンクを内部に有する貯湯タンクユニットに関するものである。
【背景技術】
【０００２】
従来の貯湯タンクユニットは、内部に貯湯タンクを有しており、貯湯タンクへと接続される給湯配管等を接続する接続スペースを、貯湯タンクユニット筐体の前面下方部に設けられ、さらに外観・美観性向上のために、その接続スペースを脚部カバーで覆っていた（例えば、特許文献１参照）。
【０００３】
図７は、従来の貯湯タンクユニットの要部拡大図である。図７に示すように、従来の脚部カバーの構成においては、脚部カバーは、筺体１００に対して、前後左右全ての４方向、もしくはそのうちの３方向を包括するようにパネル１０２Ａ、１０２Ｂといった複数のパネルによって構成されており、隣接するパネル同士がビスで取り付けられていた。また、パネルに設けられた給湯配管を取り出すための外部配管取り出し窓１０２Ｃも、各々のパネルにビスで取り付けされていた。
【先行技術文献】
【特許文献】
【０００４】
【特許文献１】特開２００６−８４１１４号公報
【発明の概要】
【発明が解決しようとする課題】
【０００５】
しかしながら、貯湯タンクユニットの設置時に、貯湯タンクユニットに設けられた接続スペースで給湯配管を接続するためには、作業現場で一旦、複数のビスを取り外した後にパネルを取り外し、配管を接続した後に、再度パネルを取り付けるという作業を行わなければならず、非常に作業工数が多く、また、ビスを複数取り外して、配管接続中は取り外したビスをなくさないように作業しなければならないので、作業効率も低下してしまうという課題を有していた。
【０００６】
本発明は、前記従来の課題を解決するもので、作業効率の低下を抑制し、かつ美観性も損なうことのない貯湯タンクユニットを提供することを目的とする。
【課題を解決するための手段】
【０００７】
前記従来の課題を解決するために、本発明の貯湯タンクユニットは、外郭を構成する筐体と、湯水を貯える貯湯タンクと、貯湯タンクに接続される配管と外部配管とを接続する接続スペースと、接続スペースの前面を覆う前面脚部カバーとを備え、前面脚部カバーに凸部を複数設け、前面脚部カバー取り付け時に凸部と対向する位置に凹部を設け、前面脚部カバーを筐体に取り付けるときは、凸部と凹部とを嵌合させるとともに、前面脚部カバーの両端部にそれぞれ１箇所のみ設けたネジ部で螺着して固定することにより、ネジ止めする箇所は、前面脚部カバーの左右両端部の一箇所ずつになるため、外観性を向上させ、さらに作業効率も損なうことなく設置作業を行うことができる。
【発明の効果】
【０００８】
本発明は、作業効率の低下を抑制し、かつ美観性も損なうことのない貯湯タンクユニットを提供することができる。
【図面の簡単な説明】
【０００９】
【図１】本発明の実施の形態１における貯湯タンクユニットの外観斜視図
【図２】同実施の形態１における貯湯タンクユニットの概略構成図
【図３】同実施の形態１における左側面脚部カバーの構成図
【図４】同実施の形態１における前面脚部カバーの構成図
【図５】同実施の形態１における左側面脚部カバーと前面脚部カバーとの嵌め合わせ図
【図６】同実施の形態１における前面脚部カバーの裏面構成図
【図７】従来の脚部カバー構成図
【発明を実施するための形態】
【００１０】
第１の発明の貯湯タンクユニットは、外郭を構成する筐体と、湯水を貯える貯湯タンクと、貯湯タンクに接続される配管と外部配管とを接続する接続スペースと、接続スペースの前面を覆う前面脚部カバーとを備え、前面脚部カバーに凸部を複数設け、前面脚部カバー取り付け時に凸部と対向する位置に凹部を設け、前面脚部カバーを筐体に取り付けるときは、凸部と凹部とを嵌合させるとともに、前面脚部カバーの両端部にそれぞれ１箇所のみ設けたネジ部で螺着して固定することにより、ネジ止めする箇所は、前面脚部カバーの左右両端部の一箇所ずつになるため、外観性を向上させ、さらに作業効率も損なうことなく設置作業を行うことができる。
【００１１】
第２の発明の貯湯タンクユニットは、特に第１の発明において、前面脚部カバーを含む複数の脚部カバーで筐体の下方の脚部を覆い、複数の脚部カバー同士は、一方の脚部カバーに設けた凹部もしくは凸部と、それに対向する位置に設けた他方の脚部カバーの凸部もしくは凹部の嵌合によって接続されることにより、お互いの脚部カバー同士の接続にもビスを使うことがなく、隣接する脚部カバーの外面同士をより同一面に近づけることができ、外観性を向上させ、かつ、ビス取付け工数を削減することができ、作業効率を向上させる。
【００１２】
第３の発明の貯湯タンクユニットは、特に第１または第２の発明において、脚部カバーの裏面には、水平方向全幅に渡って補強リブを有していることにより、脚部カバーの反りを低減することができ、脚部カバーを筐体に取り付ける際の作業効率を向上させることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における貯湯タンクユニットの外観斜視図であり、図２は、本実施の形態の貯湯タンクユニットの概略構成図である。まず、貯湯タンクユニットの構成について説明する。
【００１５】
本発明の貯湯タンクユニットは、外郭を構成する略直方体形状の筐体１を有しており、筐体１の内部には湯水を貯える貯湯タンク３を配置している。そして筐体１は、複数のパネルから構成されており、天面を構成する天板１ａ、前面を構成する前板１ｂ、１ｃ、右側面を構成する右側板１ｄ、左側面を構成する左側板１ｅ、背面を構成する背板１ｆ、底面を構成する底板１ｇを有している。
【００１６】
さらに、筐体１の前面側下方部には、貯湯タンク３に接続されている給湯配管および給水配管の接続口４が並べられ、それらの給湯配管および給水配管に外部の配管を接続するための接続スペース２を有している。そのため、筐体１は略直方体形状から前方下方部に
スペースを設けた形状になっている。
【００１７】
また、筐体１内部の貯湯タンク３の脚部としてタンク脚部３ａが複数設けられ、タンク脚部３ａが貯湯タンク３に溶接されており、底板１ｇ上に載置されており、さらに底板１ｇの下部に筐体脚部３ｂがタンク脚部３ａと同じ本数だけ設けられており、筐体脚部３ｂで筐体１の全荷重を支持している。そして、タンク脚部３ａと筐体脚部３ｂとが１対１で対応し、対応する脚部同士が螺着されて強固に接続されている。
【００１８】
そして、本実施の形態では筐体脚部３ｂを覆い、筐体１と一体的なデザインとなるように脚部カバー６が設けられている。本実施の形態では、筐体１の外周全面に渡り脚部カバーを設けており、筐体１の前面側から覆う脚部カバーである前面脚部カバー６ａと、筐体１の右側面側から覆う脚部カバーである右側面脚部カバー６ｂと、左側面側から覆う左側面脚部カバー６ｃと、背面側から覆う背面脚部カバー６ｄで構成されている。
【００１９】
図３は左側面脚部カバーの構成図であり、図４は前面脚部カバーの構成図である。なお、右側面脚部カバーの構成は、左側面脚部カバーの構成と同じであり、対称になっているのみである。
【００２０】
まず、左側面脚部カバーの構成について説明する。本実施の形態では、図３に示すように、左側面脚部カバー６ｃは、さらに３つの部材に分割されている。しかしながら、左側面脚部カバー６ｃが３つの部材に分割されて構成されていても、１つの部材で構成されていてもどちらでもよい。そして、左側面脚部カバー６ｃの端部であって、前面脚部カバー６ａと当接する箇所には複数の凹部（ミゾ）７ａが設けられている。また、左側面脚部カバー６ｃおよび右側面脚部カバー６ｂと筐体１とはビスで固定されている。これは設置作業現場でも左側面脚部カバー６ｃおよび右側面脚部カバー６ｂを取り外すことはあるが、前面脚部カバー６ａに比べれば頻度は少ないため、確実に固定している。
【００２１】
次に、前面脚部カバーの構成について説明する。図４に示すように、前面脚部カバー６ａは前板１ｂ側から筐体脚部を覆うカバーであって、図３に示す左側面脚部カバー６ｃおよび右側面脚部カバー６ｂと当接する箇所には複数の凸部（ツメ）８ａが設けられている。さらに、筐体１を構成する前板１ｃと前面脚部カバー６ａとが当接する箇所にも凸部（突起部）８ｂが設けられており、前板１ｃには凸部８ｂが挿入される凹部（穴）７ｂが設けられている。
【００２２】
図５は、左側面脚部カバー６ｃと前面脚部カバー６ａとの嵌め合わせ図である。図５に示すように、本実施の形態では、貯湯タンクユニットの設置作業時には、まず、前面脚部カバー６ａと左側面脚部カバー６ｃおよび右側面脚部カバー６ｂとを螺着して固定している化粧ネジ９を取り外す。このように前面脚部カバー６ａの両端部にそれぞれ１箇所のみ設けた化粧ネジ９で螺着して固定することにより、化粧ネジ９の個数を２つにすることができ、作業性も向上することができる。
【００２３】
そして化粧ネジ９を取り外すと、それぞれに設けた凹部および凸部が嵌合されているのを取り外し、前面脚部カバー６ａを筐体１から取り外して、接続スペース２で作業できるようにする。接続スペース２に外部配管を接続する工事が終われば、取り外す工程の逆を行うことによって、作業を完了することができる。なお、本実施の形態１では、凹部と凸部をそれぞれ設けて説明したが、これらが逆になっていても問題はない。
【００２４】
また、図６は前面脚部カバーの裏面構成図である。前面脚部カバー６ａの裏面には水平方向全幅に渡って補強リブ１０が設けられている。これによって、前面脚部カバー６ａを取り外して作業する時の反りを低減することができる。
【００２５】
以上のように、本発明は、材料コスト及び組立工数の削減と、樹脂材の質感による美観向上を図りつつ、ソリの低減を可能とした脚部カバーを備えた貯湯タンクユニットを提供することができる。
【産業上の利用可能性】
【００２６】
以上のように、本発明に係る貯湯式給湯機は、熱源にヒートポンプサイクルを有するヒートポンプ式給湯機や、電気ヒータを熱源とする電気温水器にも適用できる。
【符号の説明】
【００２７】
１  筐体
２  接続スペース
３  貯湯タンク
６  脚部カバー
７  凹部
８  凸部
【図１】
2011002197.tif 000003
【図２】
2011002197.tif 000004
【図３】
2011002197.tif 000005
【図４】
2011002197.tif 000006
【図５】
2011002197.tif 000007
【図６】
2011002197.tif 000008
【図７】
2011002197.tif 000009